(57)【特許請求の範囲】
【請求項１】
温度差に応じて電力を発生する熱電気変換手段と、この熱電気変換手段に熱を与える燃焼手段と、前記熱電気変換手段を介して伝わる熱により熱媒と熱交換する熱交換手段と、前記熱電気変換手段の発生電力により駆動して熱媒を搬送する熱媒強制循環手段と、前記熱交換手段で熱交換した熱媒を循環させて放熱する放熱手段と、前記熱媒強制循環手段、前記熱交換手段、前記放熱手段を順に接続して熱媒を循環させる熱媒通路と、前記燃焼手段の燃料となるガスを供給するガス元供給弁と、前記燃焼手段の温度により変位する温度バイメタルと、前記燃焼手段へのガス通路の間に設けられ、前記温度バイメタルの変位量によりガスの供給を調節及び開閉する温度調節用ガス量制御器と、前記変位量を調節する温度調節設定手段を有する温度調節機構とを備えた熱搬送装置。
【請求項２】
温度調節機構は、燃焼手段の燃焼が停止した場合、熱媒強制循環手段が駆動を維持できる最低電力に低下する前に、温度調節用ガス量制御器を制御して燃焼手段を燃焼させ、前記熱媒強制循環手段の駆動を維持させる請求項１記載の熱搬送装置。
【請求項３】
温度調節機構は燃焼手段が触媒燃焼方式の場合、熱媒の調節温度に到達し燃焼が停止後、触媒燃焼が再び開始できる下限温度に低下する前に、温度調節用ガス量制御器を制御して前記燃焼手段の燃焼を継続させるようにした請求項１または２記載の熱搬送装置。
【請求項４】
温度調節機構は燃焼検出ソレノイドと、ガス元供給弁と前記燃焼検出ソレノイドの可動部を連結した燃焼検出安全機構とを備え、熱電気変換手段の発生電力が前記燃焼検出ソレノイドの可動部が吸着保持できず離脱し前記ガス元供給弁が閉止する電力に低下する前に、温度調節用ガス量制御器を制御して前記燃焼手段を燃焼させ、前記燃焼検出ソレノイドの可動部の吸着を維持させるようにした請求項１〜３のいずれか１項記載の熱搬送装置。
【請求項５】
温度調節機構には、燃焼手段の燃焼が停止すると同時に開閉する電気接点を設け、前記電気接点を熱電気変換手段の発生電力を電源として点灯する燃焼状態表示器の回路に接続した請求項１〜４のいずれか１項記載の熱搬送装置。
【請求項６】
温度調節機構の温度バイメタルは、熱媒温度を容易に検出できる熱交換手段の温度により変位するように設けた請求項１〜５のいずれか１項記載の熱搬送装置。
【請求項７】
燃焼手段へのガス通路を開閉する作動温度は温度調節機構が温度調節用ガス量制御器を作動させる温度よりも高く、かつ熱媒が沸騰に至る温度よりは低く設定したガス通路を開閉する所定値を境に吸磁力が増減するフェライトに磁石に吸着・離脱させ感温ガス開閉弁を備えた請求項１〜６のいずれか１項記載の熱搬送装置。
【発明の詳細な説明】
【０００１】
【発明の属する技術分野】
本発明は可搬性に富み、採暖機能を有する燃焼熱の熱搬送装置に関する。
【０００２】
【従来の技術】
従来、この種の熱搬送装置は、図１０に示すように，温度差に応じて電力を発生する熱電気変換手段１と、この熱電気変換手段１に熱を与える燃焼手段２と、熱電気変換手段１を介して伝わる熱により熱媒と熱交換する熱交換手段３と、熱電気変換手段１の発生電力により駆動して熱媒を搬送する熱媒強制循環手段４と、熱交換手段３で熱交換した熱媒を循環させて放熱する放熱手段５と、熱媒強制循環手段４、熱交換手段３、放熱手段５を順に接続して熱媒を循環させる熱媒通路６と、燃焼手段２の燃料となるガスを充填したガスボンベ７、このガスボンベ７からガスを供給するガス元供給弁８と、このガス元供給弁８から燃焼手段２へガスを供給するガス通路９と、運転操作を行う操作部１０とから構成されていた。
【０００３】
この構成における動作、作用について説明する。操作部１０で運転操作を行うとガス元供給弁８が開放され、ガスボンベ７から燃焼手段２にガスが供給され、同時に点火が行われ、燃焼手段２が燃焼をする。さらに熱電気変換手段１は燃焼手段２と熱交換手段３との温度差により発電をし、熱媒強制循環手段４に電力が供給され、熱媒が搬送される。そこで、燃焼手段２の燃焼熱を熱交換手段３が受熱し、熱媒強制循環手段４で搬送された熱媒と熱交換する。さらに熱媒は放熱手段５に循環して放熱し、熱媒強制循環手段４に戻る。このようにして熱搬送が行われていた。
【０００４】
【発明が解決しようとする課題】
しかしながら上記のような従来の装置では、ガスが供給され、燃焼手段２が燃焼をして熱交換手段３が熱媒を加熱するが、放熱手段５での放熱量が少ないと熱媒の温度は上昇を続ける。熱媒の温度調節手段を有していないため、熱媒は最適な温度を越え、沸騰温度にまで到達して危険な状態になるという問題を有していた。また、何らかの温度調節手段を設けて燃焼手段２の燃焼を停止させると、熱電気変換手段１から供給される発電力が低下し、熱媒強制循環手段４が運転停止して運転できなくなるという問題を有していた。
【０００５】
【課題を解決するための手段】
本発明は上記課題を解決するために、温度差に応じて電力を発生する熱電気変換手段と、この熱電気変換手段に熱を与える燃焼手段と、前記熱電気変換手段を介して伝わる熱により熱媒と熱交換する熱交換手段と、前記熱電気変換手段の発生電力により駆動して熱媒を搬送する熱媒強制循環手段と、前記熱交換手段で熱交換した熱媒を循環させて放熱する放熱手段と、前記熱媒強制循環手段、前記熱交換手段、前記放熱手段を接続して熱媒を循環させる熱媒通路と、前記燃焼手段の燃料となるガスを供給するガス元供給弁と、このガス元供給弁から前記燃焼手段へのガス通路の間に設けられ、ガスの供給を調節及び開閉する温度調節用ガス量制御器と、前記燃焼手段の温度により変位する温度バイメタルと、この温度バイメタルの変位量で前記温度調節用ガス量制御器を作動させ、さらにその変位量を調節できる温度調節設定手段を有する温度調節機構を備えたものである。
【０００６】
上記発明によれば、ガス元供給弁から燃焼手段へガスが供給され燃焼を開始すると熱交換手段に熱が伝わり熱媒を加熱して温度が上昇を続ける。同時に燃焼手段の温度も熱媒の温度と相関を保ちながら上昇する。温度バイメタルは燃焼手段の温度により変位する。熱媒が温度調節をする設定温度に到達すると、温度バイメタルの変位力により温度調節用ガス量制御器のガス量を低下させるように作動する。さらに熱媒の温度が上昇を続けると温度バイメタルの変位力で温度調節用ガス量制御器は、ガスの供給を停止させる。そこで、熱媒は温度の上昇が停止し、低下する。熱媒の温度が低下すると、それに相関して燃焼手段の温度も低下するため、温度バイメタルは逆方向に変位し、温度調節用ガス量制御器はガスの供給を開始させる。そこで、再び熱媒の温度は上昇する。このようにして熱媒は設定温度に調節される。さらに温度調節設定手段を操作すると、温度バイメタルの変位量を調節できるため、熱媒の温度調節される設定温度を変えることができる。
【０００７】
そして、熱媒は沸騰温度に上昇することもなくなり、安全に運転でき、さらに温度調節に電池などの電源が不要であり、使い勝手が向上する。また、熱媒が調節される設定温度を変えることもできる。
【０００８】
【発明の実施の形態】
本発明の請求項１にかかる熱搬送装置は、温度差に応じて電力を発生する熱電気変換手段と、この熱電気変換手段に熱を与える燃焼手段と、前記熱電気変換手段を介して伝わる熱により熱媒と熱交換する熱交換手段と、前記熱電気変換手段の発生電力により駆動して熱媒を搬送する熱媒強制循環手段と、前記熱交換手段で熱交換した熱媒を循環させて放熱する放熱手段と、前記熱媒強制循環手段、前記熱交換手段、前記放熱手段を順に接続して熱媒を循環させる熱媒通路と、前記燃焼手段の燃料となるガスを供給するガス元供給弁と、前記燃焼手段の温度により変位する温度バイメタルと、前記燃焼手段へのガス通路の間に設けられ、前記温度バイメタルの変位量によりガスの供給を調節及び開閉する温度調節用ガス量制御器と、前記変位量を調節できる温度調節設定手段を有する温度調節機構を有するものである。
【０００９】
そして、上記発明によれば、ガス元供給弁から燃焼手段へガスが供給され燃焼を開始すると熱交換手段に熱が伝わり熱媒を加熱して温度が上昇を続ける。同時に燃焼手段の温度も熱媒の温度と相関を保ちながら上昇する。温度バイメタルは燃焼手段の温度により変位する。熱媒が温度調節をする設定温度に到達すると、温度バイメタルの変位力により温度調節用ガス量制御器のガス量を低下させるように作動する。さらに熱媒の温度が上昇を続けると温度バイメタルの変位力で温度調節用ガス量制御器を閉止し、ガスの供給を停止させる。そこで、熱媒の温度は上昇が止まり、逆に低下する。熱媒の温度が低下すると、それに相関して燃焼手段の温度も低下するため、温度バイメタルは逆方向に変位し、温度調節用ガス量制御器を開放しガスの供給を開始せる。そこで、再び熱媒の温度は上昇する。このようにして熱媒は設定温度に温度調節される。さらに温度調節設定手段を操作すると、温度バイメタルの変位距離を調節できるため、熱媒が温度調節される設定温度を変えることができる。
【００１０】
そして、熱媒は沸騰温度に上昇することもなくなり、安全に運転でき、さらに温度調節に電池等の電源が不要であり、使い勝手が向上する。また、熱媒が温度調節される設定温度を変えることもできる。また、電子制御を用いないため、電池が不要で交換の手間もなく、利便性が向上し、経済性もよい。さらに構成が簡素化され、製作も容易で信頼性が向上する。
【００１１】
本発明の請求項２にかかる熱搬送装置は、温度調節機構は、燃焼手段の燃焼が停止した場合、熱媒強制循環手段が駆動を維持できる最低電力に低下する前に、温度調節用ガス量制御器を制御して前記燃焼手段を燃焼させ、熱媒強制循環手段の駆動を維持させるものである。
【００１２】
そして、上記発明によれば、目標とする熱媒の調節温度に到達し温度調節用ガス量制御器を作動させて燃焼手段の燃焼が停止した場合、熱電気変換手段は高低の温度差が小さくなり、発生電力が低下していく。この電力（もしくは電圧、電流）の低下特性と熱媒強制循環手段が駆動を維持できる最低電力（もしくは電圧、電流）は求められているため、熱電気変換手段の発生電力が熱媒強制循環手段が駆動を維持できる最低電力に低下する前に、温度調節用ガス量制御器を開くように、温度ヒステリシスが設定された温度バイメタルが作動し、燃焼手段が燃焼をする。
【００１３】
そして、温度調節時で燃焼が停止し、熱電気変換手段の発電力が低下しても燃焼が再開して熱媒強制循環手段の駆動が維持できるため、安定した良好な温度特性が得られる。
【００１４】
本発明の請求項３にかかる熱搬送装置は、温度調節機構は燃焼手段が触媒燃焼方式を用いた場合、熱媒の調節温度に到達し燃焼が停止後、触媒燃焼が再び開始できる下限温度に低下する前に、再び前記温度調節用ガス量制御器を開いて前記燃焼手段を燃焼させるようにしたものである。
【００１５】
そして、上記発明によれば、目標とする熱媒の調節温度に到達し温度調節用ガス量制御器を作動させて燃焼手段の燃焼が停止した場合、触媒の温度は予め低下していく。この温度低下特性は予め求められているため、触媒燃焼が再び開始できる下限温度（触媒の活性化温度）に低下する前に、前記温度調節用ガス量制御器を開くように、温度ヒステリシスが設定された温度バイメタルが作動し、燃焼手段が燃焼をする。
【００１６】
そして、温度調節時で燃焼が停止し、触媒の温度は低下しても燃焼が再開できるため、熱媒強制循環手段の駆動も維持でき、安定して良好な温度特性が得られる。
【００１７】
本発明の請求項４にかかる熱搬送装置は、温度調節機構は燃焼検出ソレノイドと、ガス元供給弁と前記燃焼検出ソレノイドの可動部を連結した燃焼検出安全機構とを備え、熱電気変換手段の発生電力が前記燃焼検出ソレノイドの可動部が吸着保持できず離脱し前記ガス元供給弁が閉止する電力に低下する前に、温度調節用ガス量制御器を開いて燃焼手段を燃焼させ、前記燃焼検出ソレノイドの可動部が吸着を維持させるようにしたものである。
【００１８】
そして、上記発明によれば、運転時は熱電気変換手段が燃焼手段と熱交換手段との温度差により発電をし、燃焼検出ソレノイドはコイルが励磁され、その磁力で可動部を吸着保持する。燃焼検出安全機構はガス元供給弁と燃焼検出ソレノイドの可動部とを連結しているため、ガス元供給弁が開き、ガスが供給される。目標とする熱媒の調節温度に到達し前記温度調節用ガス量制御器を作動させて前記燃焼手段の燃焼が停止した場合、前記熱電気変換手段は高低の温度差が小さくなり、発生電力が低下していく。この電力（もしくは電圧、電流）の低下特性と燃焼検出ソレノイドの可動部の吸着保持できる最低電力（もしくは電圧、電流）は予め求められているため、前記熱電気変換手段の発生電力が可動部の吸着保持できる最低電力に低下する前に、再び前記温度調節用ガス量制御器を開くように、温度ヒステリシスが設定された温度バイメタルが作動し、燃焼手段が燃焼をする。
【００１９】
そして、温度調節時で燃焼が停止し、熱電気変換手段の発電電力が低下しても燃焼が再開して燃焼検出ソレノイドの可動部が吸着保持できるため、運転が停止せず、継続でき、安定して良好な温度特性が得られる。
【００２０】
本発明の請求項５にかかる熱搬送装置は、温度調節機構には、燃焼手段の燃焼が停止すると同時に開閉する電気接点を設け、前記電気接点を熱電気変換手段の発生電力を電源として点灯する燃焼状態表示器の回路に接続したものである。
【００２１】
そして上記発明によれば、運転時は温度調節用ガス量制御器を開いて燃焼手段を燃焼させ、電気接点を燃焼状態表示器の回路に接続させ熱電気変換手段が燃焼手段と熱交換手段との温度差により発電をすることで燃焼状態表示器が作動する。
【００２２】
そして、たとえば燃焼手段が燃焼中は点灯、燃焼停止中は消灯することができるため、使用者は温度調節の状態がよくわかり使い勝手が向上する。
【００２３】
本発明の請求項６にかかる熱搬送装置は、燃焼手段へのガス通路を開閉する作動温度は温度調節機構が温度調節用ガス量制御器を作動させる温度よりも高く、かつ熱媒が沸騰に至る温度よりは低く設定した所定値を境に吸磁力が増減するフェライトに磁石を吸着・離脱させてガス通路を開閉する感温ガス開閉弁を有するものである。
【００２４】
そして上記発明によれば、何らかの原因で熱媒が温度調節する温度を超えて上昇すると、燃焼手段から受熱する感温ガス開閉弁内のフェライトが吸磁力が減少し、磁石が離脱するため、ガス通路を閉止し、燃焼手段は燃焼を停止する。そこで、熱媒は沸騰温度に到達せず、安全が保たれる。
【００２５】
【実施例】
以下、本発明の実施例について図面を用いて説明する。
【００２６】
（実施例１）
図１は本発明の実施例１の熱搬送装置の構成図である。図において、1は熱電気変換手段（以下実施例ではペルチェ素子）であり、２は燃焼手段、３は熱交換手段で燃焼手段２の熱を受熱し、その熱を熱媒（以下実施例では水）と熱交換する。４は熱媒強制循環手段で熱電気変換手段１の発生電力により駆動して熱媒を搬送する。５は放熱手段で、熱媒を循環させて放熱する。６は熱媒通路で熱媒強制循環手段４、熱交換手段３、前記放熱手段５を順に接続して熱媒を循環させる。７はガスボンベで燃焼手段２の燃料となるガスを充填している。８はガス元供給弁でガスボンベ７からのガスの供給を開閉する。９はガス通路でガス元供給弁８から燃焼手段２へガスを供給する。１０は運転操作を行う操作部である。１１は温度調節用ガス量制御器でガス元供給弁８から燃焼手段２へのガス通路９の間に設けられ、ガスの供給量を調節及び開閉する。１２は温度バイメタルで燃焼手段２の温度により変位する。１３は温度調節機構で温度バイメタル１２の変位力で温度調節用ガス量制御器１１を作動させ、さらにその変位距離を調節できる温度調節設定手段１４を有する。１５は点火器である。
【００２７】
この構成における動作、作用について説明する。ガス元供給弁８から燃焼手段２へガスが供給され燃焼を開始すると熱交換手段３に熱が伝わり熱媒を加熱して温度が上昇を続ける。同時に燃焼手段２の温度も熱媒の温度と相関を保ちながら上昇する。温度バイメタル１２は燃焼手段２の温度により変位する。熱媒が温度調節をする設定温度に到達すると、温度バイメタル１２の変位力により温度調節用ガス量制御器１１のガス量を低下させるように作動する。さらに熱媒の温度が上昇を続けると温度バイメタル１２の変位力で温度調節用ガス量制御器１１を閉止し、ガスの供給を停止させる。そこで、熱媒の温度は上昇が止まり、逆に低下する。熱媒の温度が低下すると、それに相関して燃焼手段２の温度も低下するため、温度バイメタル１２は逆方向に変位し、温度調節用ガス量制御器１１を開放しガスの供給を開始させる。そこで、再び熱媒の温度は上昇する。このようにして熱媒は設定温度に温度調節される。さらに温度調節設定手段１４を操作すると、温度バイメタル１２の変位距離を調節できるため、熱媒が温度調節される設定温度を変えることができる。
【００２８】
そして、熱媒は沸騰温度に上昇することもなくなり、安全に運転でき、さらに温度調節に電池等の電源が不要であり、使い勝手が向上する。また、熱媒が温度調節される設定温度も変えることもできる。また、電子制御を用いないため、電池が不要で交換の手間もなく、利便性が向上し、さらに構成が簡素化され、製作も容易で信頼性が向上する。
【００２９】
（実施例２）
図２は本発明の実施例２の熱搬送装置の作動概念図である。
【００３０】
実施例１と異なる点は、熱交換手段３で燃焼手段２の熱と熱交換される熱媒の温度と熱燃焼手段２の温度との相関から、目標とする熱媒の調節温度に相関する燃焼手段２の温度で温度バイメタル１２がその変位力で前記温度調節用ガス量制御器１１を開閉させるように設定し、目標熱媒調節温度とした温度調節機構１３を設けたところである。
【００３１】
次に動作、作用について説明する。ガス元供給弁８から燃焼手段２へガスが供給され燃焼を開始すると熱交換手段３に熱が伝わり熱媒を加熱して温度が上昇を続ける。同時に燃焼手段２の温度も熱媒の温度と相関を保ちながら上昇する。熱媒の温度と熱燃焼手段２の温度との相関から、目標とする熱媒の調節温度に相関する前記燃焼手段２の温度で温度バイメタル１２がその変位力で温度調節用ガス量制御器１１を開閉させるように設定すると、熱媒は目標調節温度で制御される。例えば、目標とする熱媒の調節温度をｔ１とすると熱燃焼手段２はＴ１で温度調節用ガス量制御器１１を開閉させるように設定する。同様にｔ２ではＴ２に設定する。
【００３２】
そして、温度調節時の燃焼の開始・停止による燃焼手段２の温度変化は大きいため、燃焼の開始・停止の温度ヒステリシスΔＴが大きい温度バイメタル１２でも使用することができ、しかも燃焼手段２から熱交換手段３を介して加熱されるため、熱媒には高低の温度変動Δｔが緩和され、小さくなり、良好な温度特性が得られる。さらに燃焼手段２の温度と熱媒の温度との相関から設定されているため、熱媒は目標とする調節温度を得ることができる。
【００３３】
（実施例３）
図３は本発明の実施例３の熱搬送装置の作動概念図である。実施例１と異なる点は、目標とする熱媒の調節温度に到達し温度調節用ガス量制御器１１を作動させて燃焼手段２の燃焼が停止した場合、熱電気変換手段１の発生電力が熱媒強制循環手段４が駆動を維持できる最低電力に低下するまでに、再び前記温度調節用ガス量制御器１１を開いて前記燃焼手段２を燃焼させ、熱媒強制循環手段４の駆動を維持させるように設定した温度調節機構１３を設けたところである。
【００３４】
次に動作、作用について説明する。目標とする熱媒の調節温度に到達し温度調節用ガス量制御器１１を作動させて前記燃焼手段２の燃焼が停止した場合、熱電気変換手段１は高低の温度差が小さくなり、発生電力が低下していく。この電力（もしくは電圧、電流）の低下特性と熱媒強制循環手段４が駆動を維持できる最低電力（もしくは電圧、電流）は求められているため、熱電気変換手段１の発生電力が熱媒強制循環手段４が駆動を維持できる最低電力に低下するまでに、再び前記温度調節用ガス量制御器１１を開くように、温度ヒステリシスが設定された温度バイメタル１２が作動し、燃焼手段２が再び燃焼をする。
【００３５】
そして、温度調節時で燃焼が停止し、熱電気変換手段１の発電力が低下しても燃焼が再開して熱媒強制循環手段４の駆動が維持できるため、安定して良好な温度特性が得られる。
【００３６】
（実施例４）
図４は本発明の実施例４の熱搬送装置の作動概念図である。
【００３７】
実施例１と異なる点は、燃焼手段２の燃焼は触媒燃焼方式を採用した場合、目標とする熱媒の調節温度に到達し温度調節用ガス量制御器１１を作動させて燃焼手段２の燃焼が停止後、燃焼手段２の温度が低下して再び燃料のガスを供給する場合、触媒燃焼が再び開始できる下限温度に低下する前に、再び温度調節用ガス量制御器１１を開いて燃焼手段２を自動的に燃焼させるように設定した温度調節機構１３を設けたところである。
【００３８】
次に動作、作用について説明する。目標とする熱媒の調節温度に到達し温度調節用ガス量制御器１１を作動させて燃焼手段２の燃焼が停止した場合、触媒の温度は低下していく。この温度低下特性は求められているため、触媒燃焼が再び開始できる下限温度（触媒の活性化温度）に低下する前に、再び温度調節用ガス量制御器１１を開くように、温度ヒステリシスが設定された温度バイメタル１２が作動し、燃焼手段２が燃焼をする。
【００３９】
そして、温度調節時で燃焼が停止し、触媒の温度は低下しても燃焼が再開できるため、熱媒強制循環手段４の駆動も維持でき、安定して良好な温度特性が得られる。
【００４０】
（実施例５）
図５は本発明の実施例５の熱搬送装置の構成図、図６は作動概念図である。なお実施例１と同一符号のものは同一構造を有し、説明は省略する。
【００４１】
実施例１と異なる点は、燃焼手段２の燃料となるガスを供給するガス元供給弁８と、熱電気変換手段１の発生電力によりコイルが励磁され、その磁力で可動部を吸着保持する燃焼検出ソレノイド１６と、ガス元供給弁８と燃焼検出ソレノイド１６を連結し、燃焼検出ソレノイド１６の可動部の可動部の吸着・離脱状態でガス元供給弁８を開閉させ、操作部１０の運転操作に連係して着火・消火も行う燃焼検出安全機構１７と、ガス元供給弁８から前記燃焼手段２へのガス通路９の間に設けられ、ガスの供給を開閉する温度調節用ガス量制御器１１と、燃焼手段２の温度により変位する温度バイメタル１２と、この温度バイメタル１２の変位力で温度調節用ガス量制御器１１を開閉させ、さらにその変位距離を調節できる温度調節設定手段１４を有する温度調節機構１３とから構成し、温度調節機構１３は、目標とする熱媒の調節温度に到達し温度調節用ガス量制御器１１を閉止させて燃焼手段２の燃焼が停止した場合、熱電気変換手段１の発生電力が前記燃焼検出ソレノイド１６の可動部が吸着保持できず離脱しガス元供給弁８が閉止する電力に低下するまでに、再び温度調節用ガス量制御器１１を開いて燃焼手段２を燃焼させ、燃焼検出ソレノイド１６の可動部が吸着を維持させるように設定したものである。
【００４２】
次に動作、作用について説明する。運転時は熱電気変換手段１が燃焼手段２と熱交換手段３との温度差により発電をし、燃焼検出ソレノイド１６はコイルが励磁され、その磁力で可動部を吸着保持する。燃焼検出安全機構１７はガス元供給弁８と燃焼検出ソレノイド１６の可動部とを連結しているため、ガス元供給弁８が開き、ガスが供給される。目標とする熱媒の調節温度に到達し前記温度調節用ガス量制御器１１を作動させて前記燃焼手段２の燃焼が停止した場合、前記熱電気変換手段１は高温面と低温面の温度差が小さくなり、発生電力が低下していく。この電力（もしくは電圧、電流）の低下特性と燃焼検出ソレノイド１６の可動部の吸着保持できる最低電力（もしくは電圧、電流）は求められているため、前記熱電気変換手段１の発生電力が可動部の吸着保持できる最低電力に低下するまでに、再び前記温度調節用ガス量制御器１１を開くように、温度ヒステリシスが設定された温度バイメタル１２が作動し、燃焼手段２が燃焼をする。
【００４３】
そして、温度調節時で燃焼が停止し、熱電気変換手段１の発生電力が低下しても燃焼が再開して燃焼検出ソレノイド１６の可動部が吸着保持できるため、運転が停止せず、継続でき、安定して良好な温度特性が得られる。
【００４４】
（実施例６）
図７は本発明の実施例６の熱搬送装置の構成図、図８は回路図である。なお実施例１と同一符号のものは同一構造を有し、説明は省略する。
【００４５】
実施例５と異なる点は、目標とする熱媒の調節温度に到達し前記温度調節用ガス量制御器１１を閉止させて燃焼手段２の燃焼が停止させると同時に開閉する電気接点１８を設け、電気接点１８を熱電気変換手段１の発生電力を電源として点灯する燃焼状態表示器１９の回路に接続し、燃焼手段２が燃焼中は点灯、燃焼停止中は消灯するようにした温度調節機構１３を設けたところである。
【００４６】
次に動作、作用について説明する。運転時は温度調節用ガス量制御器１１を開いて燃焼手段２を燃焼させ、電気接点１８を燃焼状態表示器１９の回路に接続させる。同時に熱電気変換手段１が燃焼手段２と熱交換手段３との温度差により発電をすることで燃焼状態表示器１９が点灯する。目標とする熱媒の調節温度に到達し温度調節用ガス量制御器１１を作動して前記燃焼手段２の燃焼が停止すると、燃焼状態表示器１９の回路が開いて燃焼状態表示器１９は消灯する。
【００４７】
そして、温度調節用ガス量制御器１１により燃焼手段２が燃焼中は点灯、燃焼停止中は消灯するため、使用者は温度調節の状態がよくわかり使い勝手が向上する。
【００４８】
（実施例７）
図９は本発明の実施例７の熱搬送装置の構成図である。
【００４９】
実施例１と異なる点は、温度調節機構１３の温度バイメタル１２は、熱媒温度を容易に検出できる前記熱交換手段３の温度により変位するように設けたところである。なお実施例１と同一符号のものは同一構造を有し、説明は省略する。
【００５０】
次に動作、作用について説明する。ガス元供給弁８から燃焼手段２へガスが供給され燃焼を開始すると熱交換手段３に熱が伝わり熱媒を加熱して温度が上昇を続ける。温度バイメタル１２は熱交換手段３の温度により変位し、その変位力で前記温度調節用ガス量制御器１１を開閉させる。
【００５１】
そして、燃焼手段２の温度を検出して目標とする熱媒の調節温度を得るため、燃焼手段２の温度と熱媒の温度との相関から設定する方法に比較し、熱交換手段３とその内部を流れる熱媒の温度は近似しているため、熱媒は目標とする調節温度を得ることが容易にできる。
【００５２】
（実施例８）
図９は本発明の実施例８の熱搬送装置の構成図である。図９は本発明の実施例９の熱搬送装置の作動概念図である。
【００５３】
実施例７と異なる点は、燃焼手段２において燃焼部分よりもガス通路９の接続口に近い部分に設けられ、前記燃焼手段２から受熱した温度が所定値を境に吸磁力が増減するフェライトに磁石を吸着・離脱させることでガス通路９を開閉し、燃焼を開始・停止させて熱媒の温度を調節し、その作動温度は前記温度調節機構が温度調節用ガス量制御器を作動させる温度よりも高く、熱媒が沸騰に至る温度よりは低く設定した感温ガス開閉弁２２を設けたところである。なお実施例７と同一符号のものは同一構造を有し、説明は省略する。
【００５４】
次に動作、作用について説明する。運転操作を行うと燃焼手段２が燃焼を開始し、熱電気変換手段１が温度差に応じて電力を発生し、熱媒強制循環手段４に電力が供給され、熱媒が放熱手段５に搬送される。熱媒の温度が上昇すると、燃焼手段の温度も上昇し、通常は温度調節機構１３が温度調節用ガス量制御器１１を作動させて熱媒温度を一定に制御させる。しかし、何らかの原因で熱媒が温度調節する温度を超えて上昇すると、燃焼手段から受熱する感温ガス開閉弁２２は閉止し、燃焼手段２は燃焼を停止させる。そこで、熱媒は沸騰温度に到達せず、安全が保たれる。なお、熱媒の温度が下降すると、燃焼手段２の温度も下降して、感温ガス開閉弁２２は開放し、燃焼手段２は燃焼を再開するが、沸騰温度以下であるため、安全である。
【００５５】
そして、何らかの原因で熱媒が温度調節する温度を超えて上昇しても、沸騰温度以下で燃焼を停止するため、安全性が高まる。
【００５６】
【発明の効果】
以上のように本発明の請求項１に係る熱搬送装置は、熱媒は沸騰温度に上昇することもなくなり、安全に運転でき、さらに温度調節に電池等の電源が不要であり、使い勝手が向上する。また、熱媒が温度調節される設定温度を変えることもできる。また、電子制御を用いないため、電池が不要で交換の手間もなく、利便性が向上し、さらに構成が簡素化され、製作も容易で信頼性が向上する。
【００５７】
また、請求項２に係る熱搬送装置は、運転中で燃焼が停止し、熱電気変換手段の発電電力が低下しても燃焼が再開して熱媒強制循環手段の駆動が維持できるため、安定して良好な温度特性が得られる。
【００５８】
また、請求項4に係る熱搬送装置は、運転中で燃焼が停止し、触媒の温度は低下しても燃焼が再開できるため、熱媒強制循環手段の駆動も維持でき、安定して良好な温度特性が得られる。
【００５９】
また、請求項４に係る熱搬送装置は、運転中で燃焼が停止し、熱電気変換手段の発電電力が低下しても燃焼が再開して燃焼検出ソレノイドの可動部が吸着保持できるため、運転が停止せず、継続でき、安定して良好な温度特性が得られる。
【００６０】
また、請求項５に係る熱搬送装置は、温度調節用ガス量制御器により燃焼手段が燃焼中は点灯、燃焼停止中は消灯することができるため、使用者は温度調節の状態がよくわかり使い勝ってが向上する。
【００６１】
また、請求項６に係る熱搬送装置は、熱交換手段の温度を検出して目標とする熱媒の調節温度を得るため、燃焼手段の温度と熱媒の温度との相関から設定する方法に比較し、流れる熱媒の温度を直接接触させているため、熱媒は目標とする調節温度を得ることが容易にできる。
【００６２】
また、請求項７に係る熱搬送装置は、何らかの原因で熱媒が温度調節する温度を超えて上昇すると、燃焼手段から受熱する感温ガス開閉弁はフェライトが吸磁力が減少し、磁石が離脱するため、ガス通路を閉止し、燃焼手段は燃焼を停止させる。そこで、熱媒は沸騰温度に到達せず、安全が保たれる。
【図面の簡単な説明】
【図１】本発明の実施例１の熱搬送装置の構成図
【図２】本発明の実施例２の熱搬送装置の作動概念図
【図３】本発明の実施例３の熱搬送装置の作動概念図
【図４】本発明の実施例４の熱搬送装置の作動概念図
【図５】本発明の実施例５の熱搬送装置の構成図
【図６】同作動概念図
【図７】本発明の実施例６の熱搬送装置の構成図
【図８】同回路図
【図９】本発明の実施例７、実施例８の熱搬送装置の構成図
【図１０】従来の熱搬送装置の構成図
【符号の説明】
１  熱電気変換手段
２  燃焼手段
３  熱交換手段
４  熱媒強制循環手段
５  放熱手段
６  熱媒通路
７  ガスボンベ
８  ガス元供給弁
９  ガス通路
１０  操作部
１１  温度調節用ガス量制御器
１２  温度バイメタル
１３  温度調節機構
１４  温度調節設定手段
１６  燃焼検出ソレノイド
１７  燃焼検出安全機構
１８  電気接点
１９  燃焼状態表示器
２２  感温ガス開閉弁
【図１】
0003952628.tif 000002
【図２】
0003952628.tif 000003
【図３】
0003952628.tif 000004
【図４】
0003952628.tif 000005
【図５】
0003952628.tif 000006
【図６】
0003952628.tif 000007
【図７】
0003952628.tif 000008
【図８】
0003952628.tif 000009
【図９】
0003952628.tif 000010
【図１０】
0003952628.tif 000011